(57)【要約】【課題】点火装置のための棒形点火コイルであって、コイル体とほぼ円筒形のケーシング壁とを有し、点火栓の接続ピンを受容するために高電圧側に接触部材が配置されており、該接触部材が弾性的な緩衝部材を有している形式のものを改良し、点火コイルと点火栓との間に良好な緩衝作用が保証され、そのうえ、製作技術的に容易な構成が得られるようにすること。【解決手段】弾性的な緩衝部材が接触部材における切欠きに、点火栓の接続ピンに直接的に接触させられて配置されており、接触部材か点火栓の接続ピンに少なくとも部分的に円周面側で接触させられていること。【選択図】図１
2005229120.tif 000002
【特許請求の範囲】
【請求項１】
点火装置のための棒形点火コイル、特に自動車の内燃機関にて使用するための棒形点火コイルであって、コイル体（１０）とほぼ円筒形のケーシング壁（１２）とを有し、点火栓（１６）の接続ピン（１４）を受容するために高電圧側に接触部材（１８）が配置されており、該接触部材（１８）が弾性的な緩衝部材（２０）を有している形式のものにおいて、前記弾性的な緩衝部材（２０）が前記接触部材（１８）における切欠き（２２）において、点火栓（１６）の接続ピン（１４）に直接的に接触させられて配置されており、前記接触部材（１８）が点火栓（１６）の接続ピン（１４）に少なくとも部分的に円周面側で接触させられていることを特徴とする、棒形点火コイル。
【請求項２】
前記弾性的は緩衝部材（２０）が点火栓（１６）の接続ピン（１４）を部分的に取囲んでいる、請求項１記載の棒形点火コイル。
【請求項３】
前記弾性的な緩衝部材（２０）がほぼ円板状又は鉢状で前記接触部材（１８）における切欠き（２２）が前記緩衝部材（２０）を受容するためにほぼ鉢形に構成されている、請求項１又は２記載の棒形点火コイル。
【請求項４】
前記弾性的な緩衝部材（２０）がエラストマ、ゴム又はそれに類似した材料から成る、請求項１から３までのいずれか１項記載の棒形点火コイル。
【請求項５】
コイル体（１０）とケーシング壁（１２）との間の中間室（１１）がエラストマ、ゴム又はそれに類似した弾性的な材料で充填されている、請求項１から４までのいずれか１項記載の棒形点火コイル。
【請求項６】
前記接触部材（１８）における前記切欠き（２２）が前記中間室（１１）に透し孔（２４）を介して接続されており、前記中間室（１１）をエラストマ、ゴム又はそれに類似した弾性的な材料で充填する際に前記切欠き（２２）が少なくとも部分的に充填可能である、請求項５記載の棒形点火コイル。
【請求項７】
前記接触部材（１８）における前記切欠き（２２）が棒形点火コイルのケーシング壁（１２）により制限された内室（２７）への接続部として透し孔（２６）を有しており、前記緩衝部材（２０）が前記内室（２７）を点火栓（１６）の接続ピン（１４）に向かってシールしている、請求項１から６までのいずれか１項記載の棒形点火コイル。
【請求項８】
コイル体（１０）とケーシング壁（１２）との間に空隙がある、請求項１から５までのいずれか１項記載の棒形点火コイル。
【請求項９】
コイル体（１０）とケーシング壁（１２）との間の中間室が注入材料によって充填されている、請求項１から５までのいずれか１項記載の棒形点火コイル。
【請求項１０】
コイル体（１０）とケーシング壁（１２）との間に絶縁シートがある、請求項１から９までのいずれか１項記載の棒形点火コイル。
【請求項１１】
点火栓（１６）の接続ピン（１４）が前記接触部材（１８）において接続ピン（１４）を確保するためにばね部材（３０）が係合する切欠き（２８）を有している、請求項１から１０までのいずれか１項記載の棒形点火コイル。
【請求項１２】
ケーシング壁（１２）が少なくとも領域的にプラスチック射出成形被覆層を有している、請求項１から１０までのいずれか１項記載の棒形点火コイル。
【請求項１３】
高電圧側にて前記接触部材（１８）を周面側で取囲む点火栓（１６）用の保護外套（３２）が射出成形されている、請求項１２に記載の棒形点火コイル。
【発明の詳細な説明】
【技術分野】
【０００１】
本発明は点火装置のための棒形点火コイル、特に自動車の内燃機関にて使用するための棒形点火コイルに関する。この棒形点火コイルはコイル体とほぼ円筒形のケーシング壁とを有している。この場合には点火栓の接続ピンを受容するためには高電圧側に接触部材が配置されており、該接触部材は弾性的な緩衝部材を有している。
【背景技術】
【０００２】
前記の如き棒形点火コイルはドイツ国特許明細書ＤＥ１９９２７８２０Ｃ１号によって公知でありかつ自動車の内燃機関の点火栓に高電圧を供給するために用いられる。
【０００３】
前記公知の棒形点火コイルはほぼ円筒形であり、中央にコイル体を有し、該コイル体が帰還接続板によって取囲まれている同心的な構造を有している。コイル体は中央に配置された、磁化可能な材料から成る棒形コアを取囲んでおり、点火栓に接続可能な２次コイルが上に配置されている２次コイル体と２次コイルを取囲み、１次コイルとして構成された第２のコイルを保持する１次コイル体とを有している。前記第２のコイルは低電圧源に接続するための接続部と結合されている。帰還接続板は内部に部分的に樹脂材料が注入されるケーシング壁を形成している。
【０００４】
点火栓の接続ピンを受容するためには高電圧側に接触部材が配置され、該接触部材は棒形コイルと点火栓との間に配置された弾性的な緩衝部材を有している。緩衝部材は弾性的な材料から成るプレート状の部分として構成され、接触部材を棒形コイルに対し軸方向で緩衝する。接触部材は高電圧側で点火栓との確実な電気的接触を保証しなければならないので、接触部材と２次コイルとの間には導電結合が生じる必要がある。しかし棒形点火コイルに対する接触部材の公知の緩衝では、前記結合を得ることに多くの費用がかかる。何故ならば緩衝部材自体が導電的に構成されなければならないか又は緩衝部材を橋絡する迂回導線が設けられなければならないからである。両方の構成形態には多大の製作費用が必要である。
【特許文献１】ＤＥ１９９２７８２０Ｃ1号
【発明の開示】
【発明が解決しようとする課題】
【０００５】
本発明の課題は点火コイルと点火栓との間に特に良好な緩衝が保証され、そのうえ製作技術的に特に簡単に構成できる棒形コイルを提供することである。
【課題を解決するための手段】
【０００６】
本発明の課題は、点火設備のための棒形コイル、特に自動車の内燃機関にて使用するための棒形点火コイルであって、コイル体とほぼ円筒状のケーシング壁とを有し、点火栓の接続ピンを受容するために高電圧側に接触部材が配置され、該接触部材が弾性的な緩衝部材を有している形式のものにおいて、弾性的な緩衝部材が接触部材における切欠き内にて、点火栓の接続ピンに直接に接触させられて配置され、接触部材が点火栓の接続ピンに少なくとも部分的に周面側で接触させられていることによって解決された。
【発明の効果】
【０００７】
本発明によれば弾性的な緩衝部材は接触部材における切欠き内に点火栓の接続ピンに対し直接的に接触させられて配置されている。これはすでに、点火栓と接触部材との間に直接的な軸方向の緩衝を可能にするので点火栓が接触部材に堅く当接させられて取付けられることはなくなる。さらに接触部材は点火栓の接続ピンに少なくとも部分的に周面側で接触させられている。これによって点火栓の接続ピンと、接触部材に直接的に接続された２次コイルとの間には確実な、導電的な接続が保証される。
特に望まれる軸方向の緩衝のほかに、これに対し直角な半径方向の緩衝を点火栓と点火コイルとの間に可能にするためには、弾性的な緩衝部材は点火栓の接続ピンを部分的に取囲み、接続ピンの点火コイルに向いた端部を支承するある種の「鉢体」を形成することができる。
【０００８】
弾性的な緩衝部材は円板状又はコップ状でありかつ接触部材における切欠きは緩衝部材を受容するためにほぼ鉢形に構成されていることができる。これによって接触部材における緩衝部材の確実な受容が保証される。
【０００９】
この場合には緩衝部材を導電的に構成する必要はなく、弾性的な緩衝部材は特にエラストマ、ゴム又はそれに類似した弾性材料から成ることができる。
【００１０】
本発明による棒形コイルを揺動しないように構成するためには、コイル体とケーシング壁との間の中間室を同様にエラストマ、ゴム又はそれに類似した弾性材料で充填することもできる。
【００１１】
特に有利な形式で接触部材における切欠きは前記中間室に透し孔を介して接続され、中間室をエラストマ、ゴム又はそれに類似した弾性的な材料で充填する場合に前記切欠きを少なくとも部分的に前記材料で充たすことができるようにすることもできる。有利な形式でエラストマ、ゴム又はそれに類似した材料からの緩衝部材２０の形成と中間室１１の充填とは同一の方法ステップで実施することができる。
【００１２】
さらに接触部材における切欠きは、付加的にケーシング壁により制限された棒形点火コイル内の内室への接続部として透し孔を有していることができる。この場合、緩衝部材は前記内室を点火栓の接続ピンに向かってシールする。
【００１３】
コイル体と帰還接続板とを電気的に遮断するためには付加的に又は選択的に絶縁シート及び／又は空隙をコイル体とケーシング壁との間に設けることもできる。
【００１４】
さらに選択的に前記中間室を注入材料で充填することもできる。注入材料は通常は例えばエポキシ樹脂であることができる。
【００１５】
点火栓の接続ピンは、接触部材に接続ピンを確保するばね部材が係合する切欠きを有することができる。このような切欠きは接続ピンの規格化されたプロフィール、例えばＳＡＥプロフィールの構成部分であることができる。
【００１６】
特に湿気密であるためには、ケーシング壁は少なくとも領域的にプラスチック被覆を有していることができる。この場合、有利な構成では高電圧側に、接触部材を周面側で取囲む点火栓のための保護外套が一体に射出成形されていることができる。これにより、一方では湿気に対し保護された点火栓の接触が実現され、他方では点火栓の半径方向の緩衝と損傷に対する保護とが実現される。
【００１７】
本発明の更なる利点と有利な構成は明細書図面及び特許請求の範囲に記載されている。
【発明を実施するための最良の形態】
【００１８】
図１と図２とには棒形点火コイルの高電圧側の接続領域が示されている。この接続領域は点火栓１６の接続ピン１４と結合させるための接触部材１８を有している。棒形点火コイルは自動車の内燃機関のシリンダヘッドにおける図示されていないシャフトに挿入可能である。棒形点火コイルは棒形点火コイルの磁気回路を閉じるための帰還プレートとしてほぼ円筒形のケーシング壁１２を有している。ケーシングのほかに棒形コイルは、通常の形式で構成され、磁化可能な材料から成る棒形コアを取囲みかつ２次コイル巻体、２次コイル、１次コイル巻体及び１次コイルを有するコイル体１０を備えている。１次コイルは通常の形式で図示されていない低電圧源のための接続部と接続される一方、２次コイルは高電圧を供給しかつ接触部材１８を介し点火栓１６と接続可能である。
【００１９】
弾性的な緩衝部材２０は接触部材１８における鉢形の切欠き２２内に、点火栓１６の接続ピン１４に対する直接的な接触を成して配置されている。弾性的な緩衝部材２０はエラストマから成っている。選択的にゴム又は類似の弾性材料を使用することもできる。コイル体１０とケーシング壁１２との間の中間室１１も同様にエラストマ、ゴム又は類似した弾性材料もしくは注入材料で充填されていることもできる。
【００２０】
コイル体１０とケーシング壁１２との間には図示されていない択一的な実施例によれば空隙が存在することができる。この場合には付加的にコイル体１０とケーシング壁１２との間には絶縁シートが配置されていることもできる。
【００２１】
接触部材は１８における切欠き２２は棒形点火コイルのケーシング壁１２によって制限された内室２７に対する接続部としての透し孔２６を有している。この場合、内室２７は注型室と称することもできる。何故ならば内室２７はプラスチック樹脂又はそれに類似した注入材料で充填されるからである。この場合、緩衝部材２０は内室２７と点火栓１６の接続ピン１４との間のシールとして作用する。
ケーシング壁１２の周囲にはプラスチックが射出成形され、したがって充填材料密でかつ水密なケーシングが形成されている。この場合、高電圧側には接触部材１８を円周側で取囲む点火栓１６のための保護外套３２が付加成形されている。この保護外套３２は第１に点火栓もしくは点火栓ヘッドを湿気に対し保護するために役立つ。
【００２２】
付加的に又は選択的に高電圧側においては図示されていないサーモプラストが２Ｋ法、２成分法で例えば高電圧ドームを形成するケーシング壁１２に射出成形されていることもできる。
【００２３】
図１の実施例は弾性的な緩衝部材２０として接触部材１８におけるほぼ鉢形の切欠き２２に挿入されるかプレス嵌めされる別個の部分としてほぼ円板状の部体を有している。この円板状の部体は軸方向の緩衝に役立つ。
【００２４】
選択的に別個な緩衝部材は鉢形に構成されていることもできる。この場合、弾性的な緩衝部材は点火栓１６の接続ピン１４を部分的に取囲む。鉢形の緩衝部材の縁部領域は付加的に半径方向の緩衝に役立つ。
【００２５】
接触部材１８は図１に示された実施例では点火栓１６の接続ピン１４の円周面に接触している。したがって接触は接続ピンを接触部材へプレス嵌めすることで達成されかつ確保される。
【００２６】
図２に示された実施例においても接触部材１８の切欠き２２内に配置された円板状に構成された弾性的な緩衝部材２０が示されている。接触部材１８における切欠き２２はコイル体１０とケーシング壁１２との間の中間室１１と透し孔２４を介して接続されている。透し孔２４は、中間室１１がエラストマ、ゴム又はそれに類似した弾性材料で充填される場合に、切欠き２２も少なくとも部分的に前記材料で充填されるために役立つ。これにより中間室１１の充填と緩衝部材２０の形成は統合されて構成される。
【００２７】
円板状の緩衝部材２０は軸方向の緩衝に役立つ。選択的に統合された弾性的な緩衝部材は鉢形に構成されていることもできる。この場合、緩衝部材は点火栓１６の接続ピン１４を部分的に取囲む。鉢形の緩衝部材は付加的に半径方向の緩衝を行なう。
【００２８】
接触部材１８は点火栓の接続ピン１４に円周側で接触する。点火栓１６の接続ピン１４が接触状態で固定されることを保証するためには接続ピン１４は切欠き２８を有し、この切欠き２８内に接触部材１８に係合するばね部材３０が接触部材１８にて接続ピン１４を確保するために係合する。この場合、ばね部材３０は接続ピン１４の規格化されたプロフィール、例えばＳＡＥプロフィールにも係合できるように構成されていることもできる。
【図面の簡単な説明】
【００２９】
【図１】本発明の棒形点火コイルの１実施例の高電圧側の接続領域の切断側面図。
【図２】本発明の棒形点火コイルの別の実施例の高電圧側の接続領域の切断側面図。
【符号の説明】
【００３０】
１０  コイル体、  １１  中間室、  １２  ケーシング壁、  １４  接続ピン、  １６  点火栓、  １８  接触部材、  ２０  緩衝部材、  ２２  切欠き、  ２４  透し孔、  ２６    ２７内室、  ２８  切欠き、  ３０  ばね部材、  ３２  保護外套
【図１】
2005229120.tif 000003
【図２】
2005229120.tif 000004